(57)【要約】      （修正有）【課題】負荷試験の前後における検体試料の分析結果の相対的変化を観察しやすくすることが可能な診断画像システムを提供する。【解決手段】この診断画像システムは、被検体の臓器の機能異常を診断するための負荷試験の前後において臓器から検体試料を採取して、疾患の診断を行うための診断画像システムであって、検体試料の分析結果を、負荷試験の前に採取された検体試料の分析結果と負荷試験の後に採取された検体試料の分析結果とに分類し、検体試料の分析結果の分類に基づいて、負荷試験の前に採取された検体試料の分析結果を示す負荷試験前レポート４と、負荷試験の後に採取された検体試料の分析結果を示す負荷試験後レポート５とを生成する制御部（分類部、生成部）と、を備える。【選択図】図５
2020128895.tif 000002
【特許請求の範囲】
【請求項１】
被検体の臓器の機能異常を診断するための負荷試験の前後において前記臓器から検体試料を採取して、疾患の診断を行うための診断画像システムであって、
前記検体試料の分析結果を、前記負荷試験の前に採取された前記検体試料の分析結果と前記負荷試験の後に採取された前記検体試料の分析結果とに分類する分類部と、
前記分類部による前記検体試料の分析結果の分類に基づいて、前記負荷試験の前に採取された前記検体試料の分析結果を示す負荷試験前レポートと、前記負荷試験の後に採取された前記検体試料の分析結果を示す負荷試験後レポートとを生成する生成部と、を備える、診断画像システム。
【請求項２】
前記生成部は、前記検体試料の分析結果がリスト状に並んで表示されるように、前記負荷試験前レポートおよび前記負荷試験後レポートを生成するように構成されている、請求項１に記載の診断画像システム。
【請求項３】
前記生成部は、前記検体試料の分析結果がリスト状でかつ採取順に並んで表示されるように、前記負荷試験前レポートおよび前記負荷試験後レポートを生成するように構成されている、請求項２に記載の診断画像システム。
【請求項４】
前記生成部は、前記負荷試験の前後において前記臓器における前記検体試料の採取位置が互いに対応する前記検体試料の分析結果が識別可能に、前記検体試料の分析結果がリスト状に並んで表示されるように、前記負荷試験前レポートおよび前記負荷試験後レポートを生成するように構成されている、請求項２に記載の診断画像システム。
【請求項５】
前記負荷試験前レポートは、前記負荷試験の前に採取された前記検体試料の分析結果の全部を含み、
前記負荷試験後レポートは、前記負荷試験の後に採取された前記検体試料の分析結果の全部を含む、請求項１〜４のいずれか１項に記載の診断画像システム。
【請求項６】
前記負荷試験前レポートおよび前記負荷試験後レポートは、前記検体試料が採取された前記臓器を示す画像を含む、請求項１〜５のいずれか１項に記載の診断画像システム。
【請求項７】
前記臓器を示す画像には、対応する前記検体試料の分析結果が識別可能に、前記臓器における前記検体試料の採取位置が重畳されている、請求項６に記載の診断画像システム。
【請求項８】
被検体の臓器の機能異常を診断するための負荷試験の前後において前記臓器から検体試料を採取された前記検体試料の分析結果を、前記負荷試験の前に採取された前記検体試料の分析結果と前記負荷試験の後に採取された前記検体試料の分析結果とに分類する分類部と、
前記分類部による前記検体試料の分析結果の分類に基づいて、前記負荷試験の前に採取された前記検体試料の分析結果を示す負荷試験前レポートと、前記負荷試験の後に採取された前記検体試料の分析結果を示す負荷試験後レポートとを生成する生成部と、を備える、レポート生成装置。
【請求項９】
被検体の臓器の機能異常を診断するための負荷試験の前後において前記臓器から検体試料を採取して、疾患の診断を行うためのレポート生成方法であって、
分類部により、前記検体試料の分析結果を、前記負荷試験の前に採取された前記検体試料の分析結果と前記負荷試験の後に採取された前記検体試料の分析結果とに分類するステップと、
生成部により、前記分類部による前記検体試料の分析結果の分類に基づいて、前記負荷試験の前に採取された前記検体試料の分析結果を示す負荷試験前レポートと、前記負荷試験の後に採取された前記検体試料の分析結果を示す負荷試験後レポートとを生成するステップと、を備える、レポート生成方法。
【発明の詳細な説明】
【技術分野】
【０００１】
本発明は、診断画像システム、レポート生成装置およびレポート生成方法に関する。
【背景技術】
【０００２】
従来、被検体（患者）内から血液や組織片などの検体試料を採取することにより、体内・臓器内における腫瘍などにより引き起こされる疾患の診断を行うことが知られている。ここで、従来、医師等が放射線画像診断装置によって被検体の透視画像を確認しながら、検体試料を採取するための採取デバイスを被検体内の採取位置まで送り込み、検体試料が採取されることが知られている（たとえば、非特許文献１参照）。
【０００３】
上記非特許文献１には、副腎の疾患である原発性アルドステロン症の診断のため、放射線画像診断装置による被検体のＸ線透視画像をリアルタイムで確認しながら、カテーテルを採取位置まで挿入することにより、副腎の様々な部位の静脈から血液サンプル（検体試料）を採取することが開示されている。この血液サンプルの採取は、副腎の機能異常を診断するためのＡＣＴＨ（Adreno  Cortico  Tropic  Hormone）負荷試験の前後において実施される。ＡＣＴＨ負荷試験の前後において採取された血液サンプルの分析結果（アルドステロン濃度やコルチゾール濃度）に基づいて、副腎の疾患である原発性アルドステロン症の診断が行われる。
【０００４】
また、上記非特許文献１には明確に記載されていないものの、通常、医師が副腎の疾患である原発性アルドステロン症の診断を行うために、ＡＣＴＨ負荷試験の前後における血液サンプルの分析結果を含めたレポートが病院関係者により作成される。医師は、レポートにより負荷試験の前後における血液サンプルの分析結果の相対的変化を観察して、副腎の疾患である原発性アルドステロン症の診断を行う。
【先行技術文献】
【非特許文献】
【０００５】
【非特許文献１】牧田幸三、「原発性アルドステロン症における副腎静脈採血−副腎静脈サンプリング手技を成功させるためのコツ−」、日本インターベンショナルラジオロジー学会雑誌、２０１３年、Ｖｏｌ．２８、Ｎｏ．２、ｐ．２０４−２１０
【発明の概要】
【発明が解決しようとする課題】
【０００６】
しかしながら、レポートが病院関係者により作成される場合、ＡＣＴＨ負荷試験の前後における血液サンプルの分析結果が１つのレポートに混在して作成される場合がある。ＡＣＴＨ負荷試験の前後における血液サンプルの分析結果が１つのレポートに混在する場合、医師がＡＣＴＨ負荷試験の前後における血液サンプルの分析結果を明瞭に区別して把握しにくい場合があると考えられる。この場合、負荷試験の前後における血液サンプルの分析結果の相対的変化を観察しにくいという問題点がある。
【０００７】
この発明は、上記のような課題を解決するためになされたものであり、この発明の１つの目的は、負荷試験の前後における検体試料の分析結果の相対的変化を観察しやすくすることが可能な診断画像システム、レポート生成装置およびレポート生成方法を提供することである。
【課題を解決するための手段】
【０００８】
上記目的を達成するために、この発明の第１の局面における診断画像システムは、被検体の臓器の機能異常を診断するための負荷試験の前後において臓器から検体試料を採取して、疾患の診断を行うための診断画像システムであって、検体試料の分析結果を、負荷試験の前に採取された検体試料の分析結果と負荷試験の後に採取された検体試料の分析結果とに分類する分類部と、分類部による検体試料の分析結果の分類に基づいて、負荷試験の前に採取された検体試料の分析結果を示す負荷試験前レポートと、負荷試験の後に採取された検体試料の分析結果を示す負荷試験後レポートとを生成する生成部と、を備える。
【０００９】
この発明の第１の局面による診断画像システムでは、上記のように構成することによって、負荷試験の前後における検体試料の分析結果をそれぞれ別々のレポート（負荷試験前レポートおよび負荷試験後レポート）として生成することができる。その結果、負荷試験の前後における検体試料の分析結果が１つのレポートに混在することがない。これにより、ユーザ（医師など）は、負荷試験の前後における検体試料の分析結果を明瞭に区別して把握することができる。その結果、負荷試験の前後における検体試料の分析結果の相対的変化を観察しやすくすることが可能な診断画像システムを提供することができる。また、負荷試験の前後における検体試料の分析結果を生成部により自動で別々のレポートとして生成することができる。その結果、ユーザが負荷試験の前後における検体試料の分析結果を別々のレポートとして生成するという煩雑な手間を省くことができる。
【００１０】
上記第１の局面による診断画像システムにおいて、好ましくは、生成部は、検体試料の分析結果がリスト状に並んで表示されるように、負荷試験前レポートおよび負荷試験後レポートを生成するように構成されている。このように構成すれば、検体試料の分析結果をリスト状に整理した状態で負荷試験前レポートおよび負荷試験後レポートを生成することができる。その結果、負荷試験前レポートおよび負荷試験後レポートにおける検体試料の分析結果を確認しやすくすることができる。これにより、負荷試験の前後における検体試料の分析結果の相対的変化をより観察しやすくすることができる。
【００１１】
この場合、好ましくは、生成部は、検体試料の分析結果がリスト状でかつ採取順に並んで表示されるように、負荷試験前レポートおよび負荷試験後レポートを生成するように構成されている。このように構成すれば、負荷試験前レポートおよび負荷試験後レポートにおける検体試料の分析結果をリスト状でかつ採取順（検体試料を採取した順番）に並べることができる。これにより、負荷試験前レポートおよび負荷試験後レポートにおける検体試料の分析結果と、実際の採取順との対応関係を直感的に把握することができる。その結果、負荷試験前レポートおよび負荷試験後レポートにおける検体試料の分析結果をより確認しやすくすることができる。
【００１２】
上記検体試料の分析結果がリスト状に並んで表示される構成において、好ましくは、生成部は、負荷試験の前後において臓器における検体試料の採取位置が互いに対応する検体試料の分析結果が識別可能に、検体試料の分析結果がリスト状に並んで表示されるように、負荷試験前レポートおよび負荷試験後レポートを生成するように構成されている。このように構成すれば、負荷試験の前後において臓器における検体試料の採取位置が互いに対応する負荷試験前レポートにおける検体試料の分析結果と負荷試験後レポートにおける検体試料の分析結果とを容易に把握することができる。つまり、相対的変化を観察する必要性が高い負荷試験の前後における検体試料の分析結果同士を容易に把握することができる。その結果、相対的変化を観察する必要性が高い負荷試験の前後における検体試料の分析結果の相対的変化を観察しやすくすることができる。
【００１３】
上記第１の局面による診断画像システムにおいて、好ましくは、負荷試験前レポートは、負荷試験の前に採取された検体試料の分析結果の全部を含み、負荷試験後レポートは、負荷試験の後に採取された検体試料の分析結果の全部を含む。このように構成すれば、負荷試験前レポートまたは負荷試験後レポートにおいて、被検体の臓器からの検体試料の採取の際に取得された検体試料の分析結果の全部を漏れなく確認することができる。その結果、負荷試験の前後における検体試料の分析結果の相対的変化を漏れなく観察することができる。
【００１４】
上記第１の局面による診断画像システムにおいて、好ましくは、負荷試験前レポートおよび負荷試験後レポートは、検体試料が採取された臓器を示す画像を含む。このように構成すれば、負荷試験前レポートまたは負荷試験後レポートにおいて、検体試料が採取された臓器と検体試料の分析結果とを見比べて確認することができる。その結果、負荷試験前レポートおよび負荷試験後レポートにおける検体試料の分析結果をより確認しやすくすることができる。
【００１５】
この場合、好ましくは、臓器を示す画像には、対応する検体試料の分析結果が識別可能に、臓器における検体試料の採取位置が重畳されている。このように構成すれば、負荷試験前レポートまたは負荷試験後レポートにおいて、臓器における検体試料の採取位置と、この採取位置に対応する検体試料の分析結果とを見比べて確認することができる。その結果、負荷試験前レポートおよび負荷試験後レポートにおける検体試料の分析結果をより一層確認しやすくすることができる。
【００１６】
この発明の第２の局面におけるレポート生成装置は、被検体の臓器の機能異常を診断するための負荷試験の前後において臓器から検体試料を採取された検体試料の分析結果を、負荷試験の前に採取された検体試料の分析結果と負荷試験の後に採取された検体試料の分析結果とに分類する分類部と、分類部による検体試料の分析結果の分類に基づいて、負荷試験の前に採取された検体試料の分析結果を示す負荷試験前レポートと、負荷試験の後に採取された検体試料の分析結果を示す負荷試験後レポートとを生成する生成部と、を備える。
【００１７】
この発明の第２の局面によるレポート生成装置では、上記のように構成することによって、上記第１の局面による診断画像システムと同様に、負荷試験の前後における検体試料の分析結果の相対的変化を観察しやすくすることが可能なレポート生成装置を提供することができる。また、上記第１の局面による診断画像システムと同様に、ユーザが負荷試験の前後における検体試料の分析結果を別々のレポートとして生成するという煩雑な手間を省くことができる。
【００１８】
この発明の第３の局面におけるレポート生成方法は、被検体の臓器の機能異常を診断するための負荷試験の前後において臓器から検体試料を採取して、疾患の診断を行うためのレポート生成方法であって、分類部により、検体試料の分析結果を、負荷試験の前に採取された検体試料の分析結果と負荷試験の後に採取された検体試料の分析結果とに分類するステップと、生成部により、分類部による検体試料の分析結果の分類に基づいて、負荷試験の前に採取された検体試料の分析結果を示す負荷試験前レポートと、負荷試験の後に採取された検体試料の分析結果を示す負荷試験後レポートとを生成するステップと、を備える。
【００１９】
この発明の第３の局面によるレポート生成方法では、上記のように構成することによって、上記第１の局面による診断画像システムと同様に、負荷試験の前後における検体試料の分析結果の相対的変化を観察しやすくすることが可能なレポート生成方法を提供することができる。また、上記第１の局面による診断画像システムと同様に、ユーザが負荷試験の前後における検体試料の分析結果を別々のレポートとして生成するという煩雑な手間を省くことができる。
【発明の効果】
【００２０】
本発明によれば、上記のように、負荷試験の前後における検体試料の分析結果の相対的変化を観察しやすくすることができる。
【図面の簡単な説明】
【００２１】
【図１】本発明の一実施形態による診断画像システムの全体構成を示したブロック図である。
【図２】本発明の一実施形態による診断画像システムのＸ線撮影装置の構成例を示すためのブロック図である。
【図３】本発明の一実施形態による診断画像システムの検体分析装置の構成例を示すためのブロック図である。
【図４】本発明の一実施形態による診断画像システムにおいて、Ｘ線画像と分析結果とが識別情報により関連付けられていることを示す概念図である。
【図５】（Ａ）は、本発明の一実施形態による診断画像システムの負荷試験前レポートを示した図であり、（Ｂ）は、本発明の一実施形態による診断画像システムの負荷試験後レポートを示した図である。
【図６】本発明の一実施形態による診断画像システムのＸ線撮影装置によるレポート生成処理を説明するためのフローチャートである。
【図７】（Ａ）は、本発明の一実施形態の変形例による診断画像システムの負荷試験前レポートを示した図であり、（Ｂ）は、本発明の一実施形態の変形例による診断画像システムの負荷試験後レポートを示した図である。
【発明を実施するための形態】
【００２２】
以下、本発明を具体化した実施形態を図面に基づいて説明する。
【００２３】
図１〜図５を参照して、本実施形態による診断画像システム１の構成について説明する。診断画像システム１は、被検体Ｔ（患者）の臓器の機能異常を診断するための負荷試験の前後において臓器から検体試料（血液検体）を採取して、疾患の診断を行なうためのシステムである。検体試料が採取される臓器は、副腎、下垂体、副甲状腺などのホルモンを分泌する臓器である。負荷試験は、ＡＣＴＨ（Adreno  Cortico  Tropic  Hormone）負荷試験、カプトリル負荷試験、生理食塩水負荷試験、ＣＲＨ（Corticotropin-Relesing  Hormone）負荷試験などである。診断画像システム１では、検体試料の採取のための放射線（Ｘ線）による被検体Ｔの撮影と、撮影した被検体Ｔ内の画像化と、採取された検体試料の分析とが行なわれる。
【００２４】
（診断画像システム）
診断画像システム１を用いた局所診断の例としては、原発性アルドステロン症の診断のための副腎静脈サンプリングなどがある。
【００２５】
図１に示すように、診断画像システム１は、被検体Ｔを撮影して被検体ＴのＸ線画像Ｇを取得するＸ線撮影装置２と、被検体Ｔから採取される検体試料の分析を行う検体分析装置３とを備えている。Ｘ線撮影装置２および検体分析装置３のそれぞれは、検査室Ｒ１および分析室Ｒ２に別々に設置されている。
【００２６】
診断画像システム１は、被検体Ｔ内の検体試料を採取するために、Ｘ線撮影装置２によって被検体Ｔを撮影してＸ線画像Ｇを取得する。検体試料を採取する際、検体採取デバイス１０が被検体Ｔ内に導入される。検体採取を担当する医師は、Ｘ線撮影装置２によりリアルタイムに取得されているＸ線画像Ｇを手がかりに、検体採取デバイス１０を被検体Ｔ内における検体試料の採取位置（図５参照）まで進入させ、検体採取デバイス１０により検体試料を採取する。なお、副腎静脈サンプリングでは、検体採取デバイス１０にカテーテルが用いられる。
【００２７】
採取された検体試料は、検体採取デバイス１０に取り込まれ、検体試料を収容するための検体容器Ｂに別途収容される。その後、検体試料を収容した検体容器Ｂが検体分析装置３に移送される。検体分析装置３は、医師などの操作者が検体容器Ｂを検体分析装置３にセットすることにより、分析すべき検体試料を受け付ける。検体容器Ｂは、たとえば採血管である。検体分析装置３は、セットされた検体試料の分析を行い、検体試料の分析結果ＲＡを取得する。
【００２８】
ここで、検体容器Ｂには、検体試料を特定するための試料特定情報が付されている。試料特定情報は、採取された検体試料を収容するための検体容器Ｂに付される識別情報Ｕである。識別情報Ｕは、たとえば検体容器Ｂにバーコードや２次元コードの形式で付される検体ＩＤである。識別情報Ｕは、たとえばバーコードが印字されたラベルの形態で用意され、検体試料が採取される際に、操作者によって検体容器Ｂに貼付される。
【００２９】
（Ｘ線撮影装置）
図２に示すように、Ｘ線撮影装置２は、被検体Ｔの外側から放射線（Ｘ線）を照射することによって、被検体Ｔ内をＸ線画像Ｇとして画像化する装置である。なお、副腎静脈サンプリングでは、Ｘ線撮影装置２は、複数の検体試料が副腎から採取される被検体ＴのＸ線画像を取得する。
【００３０】
Ｘ線撮影装置２は、被検体Ｔに放射線を照射する照射部２１と、被検体Ｔを透過した放射線を検出する検出部２２とを備えている。照射部２１と検出部２２とは、それぞれ、被検体Ｔが載置される天板２３を挟んで対向するように配置されている。照射部２１および検出部２２は、移動機構２４に移動可能に支持されている。天板２３は、天板駆動部２５により水平方向に移動可能である。被検体Ｔの関心領域を撮影できるように、移動機構２４および天板駆動部２５を介して照射部２１、検出部２２および天板２３が移動される。関心領域は、被検体Ｔ内における検体試料の採取位置を含む領域である。Ｘ線撮影装置２は、移動機構２４および天板駆動部２５を制御する制御部２６を備えている。
【００３１】
照射部２１は、放射線源２１ａを含んでいる。放射線源２１ａは、たとえば、所定の高電圧が印加されることによりＸ線を発生させるＸ線管である。照射部２１は、制御部２６に接続されている。制御部２６は、予め設定された撮影条件に従って照射部２１を制御し、放射線源２１ａからＸ線を発生させる。
【００３２】
検出部２２は、照射部２１から照射され、被検体Ｔを透過したＸ線を検出し、検出したＸ線強度に応じた検出信号を出力する。検出部２２は、たとえば、ＦＰＤ（Flat Panel Detector）により構成されている。また、Ｘ線撮影装置２は、検出部２２から検出信号を取得して、取得した検出信号に基づきＸ線画像Ｇを生成する画像処理部２７を備えている。検出部２２は、所定の解像度の検出信号を画像処理部２７に出力する。
【００３３】
画像処理部２７は、たとえば、ＣＰＵ（Central Processing Unit、図示せず）などのプロセッサと、ＲＯＭ（Read Only Memory、図示せず）およびＲＡＭ（Random Access Memory、図示せず）などの記憶部（図示せず）とを含んで構成されるコンピュータである。画像処理部２７は、画像処理プログラムをプロセッサに実行させることにより画像処理部２７として機能する。画像処理部２７は、Ｘ線画像Ｇを生成するほか、Ｘ線画像Ｇの視認性を向上するための補正処理や、複数のＸ線画像Ｇを合成する合成処理などを行う機能を有している。
【００３４】
制御部２６は、ＣＰＵ（図示せず）などのプロセッサと、ＲＯＭ（図示せず）およびＲＡＭ（図示せず）などの記憶部（図示せず）とを含んで構成されるコンピュータである。制御部２６は、制御プログラムをプロセッサに実行させることにより、Ｘ線撮影装置２の各部を制御する制御部２６として機能する。制御部２６は、照射部２１および画像処理部２７の制御や、移動機構２４および天板駆動部２５の駆動制御を行う。
【００３５】
Ｘ線撮影装置２は、表示部２６ａ、操作部２６ｂおよび記憶部２６ｃを備えている。また、Ｘ線撮影装置２は、ネットワークＮと接続するための通信部２６ｄを備えている。表示部２６ａは、たとえば液晶ディスプレイなどのモニタである。操作部２６ｂは、たとえばキーボードおよびマウス、タッチパネルまたは他のコントローラなどを含んで構成される。記憶部２６ｃは、たとえばハードディスクドライブなどの記憶装置により構成される。制御部２６は、画像処理部２７により生成された画像を表示部２６ａに表示させる制御を行うように構成されている。また、制御部２６は、操作部２６ｂを介した入力操作を受け付けるように構成されている。記憶部２６ｃは、Ｘ線画像Ｇのデータ、識別情報Ｕのデータなどを記憶するように構成されている。
【００３６】
Ｘ線撮影装置２は、図１に示すように、採取された検体試料を収容するための検体容器Ｂに付される識別情報Ｕを読み取るための読取部２８を備えている。読取部２８は、たとえば識別情報Ｕに応じたバーコードリーダー（２次元コードリーダー）であり、検体容器Ｂに付される識別情報Ｕを読み取ることが可能である。制御部２６は、検体試料が採取される際に、読取部２８により読み出された識別情報ＵをＸ線画像Ｇに付与するように構成されている。
【００３７】
（検体分析装置）
検体分析装置３は、被検体Ｔから採取された検体試料を取得して、診断に必要な成分の測定や細胞の検出などを行う装置である。検体分析装置３は、たとえば血中成分を分析するための血液分析装置や、血球分類装置、化学分析装置である。検体分析装置３による測定または検出の対象物は、診断の目的となる疾患の種類によって異なるため、疾患の種類に応じて選択される。
【００３８】
検体分析装置３の一例として、図３に示すように、液体クロマトグラフ質量分析計からなる検体分析装置３を示す。検体分析装置３は、検体試料に含まれる目的成分の分離を行う液体クロマトグラフ部３１（以下、ＬＣ部３１という）と、分離された目的成分をイオン化し、目的イオンを質量数に応じて分離検出する質量分析部３２（以下、ＭＳ部３２という）とを備えている。
【００３９】
ＬＣ部３１は、搬送液を収容する搬送液リザーバ（図示せず）と、搬送液を検体試料とともに送り出す送液ポンプ（図示せず）と、検体試料を導入する試料導入部（図示せず）と、搬送液中の検体試料を成分毎に分離する分離カラム（図示せず）とを主として含んでいる。
【００４０】
ＭＳ部３２は、ＬＣ部３１の後段に設けられ、ＬＣ部３１で分離された試料成分をイオン化するイオン化部（図示せず）と、生成されたイオンを質量分離して特定イオンを通過するための質量分離器（図示せず）と、質量分離器を通過したイオンを検出するイオン検出器（図示せず）とを主として含んでいる。ＭＳ部３２により、ＬＣ部３１から順次溶出する試料成分について、質量毎の検出信号が出力される。
【００４１】
検体分析装置３は、ＭＳ部３２から出力された検出信号に基づいて成分分析を行うデータ処理部３３を備えている。データ処理部３３は、質量毎の検出信号からマススペクトルを作成し、既知の検量線と対比することにより、検体試料中の所定成分（コルチゾールやアルドステロンなど）の定量分析を行う。
【００４２】
検体分析装置３は、表示部３３ａ、操作部３３ｂ、記憶部３３ｃおよびネットワークＮと接続するための通信部３３ｄを備えている。検体分析装置３は、さらに読取部３４を備えている。データ処理部３３は、検体試料が分析される際に、読取部３４により読み出された識別情報Ｕを検体試料の分析結果ＲＡに付与するように構成されている。これにより、図４に示すように、検体試料の分析結果ＲＡとＸ線画像Ｇとが、共通の識別情報Ｕを介して相互に対応付けられる。
【００４３】
（レポートの作成に関する構成）
ここで、本実施形態では、図５（Ａ）および（Ｂ）に示すように、Ｘ線撮影装置２の制御部２６は、検体試料の分析結果ＲＡを、負荷試験の前に採取された検体試料の分析結果ＲＡと負荷試験の後に採取された検体試料の分析結果ＲＡとに分類する。そして、制御部２６は、検体試料の分析結果ＲＡの分類に基づいて、負荷試験の前に採取された検体試料の分析結果ＲＡを示す負荷試験前レポート４（図５（Ａ）参照）と、負荷試験の後に採取された検体試料の分析結果ＲＡを示す負荷試験後レポート５（図５（Ｂ）参照）とを生成する。なお、図５（Ａ）および（Ｂ）では、負荷試験前レポート４および負荷試験後レポート５の一例として、ＡＣＴＨ負荷試験の前後において副腎から検体試料が採取された場合に生成される負荷試験前レポート４および負荷試験後レポート５を示している。また、Ｘ線撮影装置２は、特許請求の範囲の「レポート生成装置」の一例である。また、制御部２６は、特許請求の範囲の「分類部」および「生成部」の一例である。
【００４４】
図５（Ａ）に示すように、負荷試験前レポート４は、負荷試験の前の検体試料の分析結果ＲＡを示す分析結果情報４１を含む。分析結果情報４１は、検体試料毎の、採血ＩＤ（０００１、０００２など）、検体試料が採取された血管名（ＢＶ１、ＢＶ２など）、および、分析値（アルドステロン濃度、コルチゾール濃度、アルドステロン濃度／コルチゾール濃度（Ａ／Ｃ）など）を有する。分析結果情報４１は、負荷試験の前の検体試料の分析結果ＲＡがリスト状でかつ採取順に並んで表示されるように構成されている。たとえば、分析結果情報４１は、負荷試験の前の採取順が１番目である採血ＩＤ０００１を有する検体試料の分析結果ＲＡが１行目に表示され、負荷試験の前の採取順が２番目である採血ＩＤ０００２を有する検体試料の分析結果ＲＡが２行目に表示されるように構成されている。分析結果情報４１は、負荷試験の前に採取された検体試料の分析結果ＲＡの全部（図５（Ａ）では、２つ）を含む。
【００４５】
また、負荷試験前レポート４は、検体試料が採取された臓器（副腎）を示す画像４２を含む。画像４２は、１枚であってもよいし、複数枚であってもよい。図５（Ａ）では、左の副腎を示す画像４２と、右の副腎を示す画像４２との２つの画像４２を負荷試験前レポート４が含む例を示している。左の副腎を示す画像４２と右の副腎を示す画像４２とは、左右方向に並んで表示されるように構成されている。画像４２には、検体試料が採取された臓器だけでなく、臓器における検体試料が採取された血管（静脈）、血管中に配置された検体試料を採取中の検体採取デバイス１０が写っている。また、画像４２には、対応する検体試料の分析結果ＲＡが識別可能に、臓器における検体試料の採取位置が重畳されている。たとえば、図５（Ａ）では、分析結果情報４１の検体試料の分析結果ＲＡと、画像４２に重畳された採取位置とに同一の識別番号（１、２など）が付されて示されている。これにより、負荷試験前レポート４において、臓器における検体試料の採取位置と、この採取位置に対応する検体試料の分析結果ＲＡが識別可能である。
【００４６】
また、画像４２は、被検体Ｔの臓器から検体試料を採取する際に取得されたＸ線画像Ｇである。画像４２は、たとえば、被検体Ｔの臓器から検体試料を採取する際に取得されたＸ線画像Ｇのうち、ユーザが選択したＸ線画像Ｇである。ユーザは、被検体Ｔの臓器から検体試料を採取する際に取得されたＸ線画像Ｇのうち代表的なＸ線画像Ｇを、負荷試験前レポート４に含める画像として選択する。また、ユーザは、選択したＸ線画像Ｇに採取位置を重畳する作業を行う。制御部２６は、ユーザにより選択されて採取位置を重畳する作業が行われたＸ線画像Ｇを含むように、負荷試験前レポート４を生成する。なお、可能であれば、制御部２６が負荷試験前レポート４に含めるＸ線画像Ｇを選択してもよいし、制御部２６がＸ線画像Ｇに採取位置を取得して重畳する画像処理を行ってもよい。
【００４７】
また、負荷試験前レポート４は、被検体Ｔおよび被検体Ｔの検査に関する検査情報４３を含む。検査情報４３は、被検体Ｔに関する情報として、患者名（被検体Ｔの名）、患者ＩＤ、被検体Ｔの性別、および、被検体Ｔの年齢を有する。検査情報４３は、被検体Ｔの検査に関する情報として、検査ＩＤ、および、検査日時を有する。また、負荷試験前レポート４は、負荷試験前レポート４であることを示すレポート識別情報４４を含む。レポート識別情報４４は、負荷試験前レポート４であることを示す文字列により構成されている。負荷試験前レポート４では、レポート識別情報４４、検査情報４３、画像４２、および、分析結果情報４１は、上方向側から下方向側に向かって、この順に並んで配置されている。
【００４８】
図５（Ｂ）に示すように、負荷試験後レポート５は、負荷試験の後の検体試料の分析結果ＲＡを示す分析結果情報５１を含む。分析結果情報５１は、検体試料毎の、採血ＩＤ（０００３、０００４など）、検体試料が採取された血管名（ＢＶ３、ＢＶ４など）、負荷試験後の経過時間、および、分析値（アルドステロン濃度、コルチゾール濃度、アルドステロン濃度／コルチゾール濃度（Ａ／Ｃ）など）を有する。分析結果情報５１は、負荷試験の後の検体試料の分析結果ＲＡがリスト状でかつ採取順に並んで表示されるように構成されている。たとえば、分析結果情報５１は、負荷試験の後の採取順が１番目である採血ＩＤ０００３を有する検体試料の分析結果ＲＡが１行目に表示され、負荷試験の後の採取順が２番目である採血ＩＤ０００４を有する検体試料の分析結果ＲＡが２行目に表示されるように構成されている。３行目〜６行目についても同様である。分析結果情報５１は、負荷試験の後に採取された検体試料の分析結果ＲＡの全部（図５（Ｂ）では、６つ）を含む。
【００４９】
また、負荷試験後レポート５は、検体試料が採取された臓器（副腎）を示す画像５２を含む。画像５２は、画像４２と同じ画像である。つまり、画像５２には、対応する検体試料の分析結果ＲＡが識別可能に、臓器における検体試料の採取位置が重畳されている。画像５２と画像４２とは同じ画像であるため、画像５２についての詳細な説明は省略する。負荷試験後レポート５は、被検体Ｔおよび被検体Ｔの検査に関する検査情報５３を含む。検査情報５３は、被検体Ｔに関する情報として、患者名（被検体Ｔの名）、患者ＩＤ、被検体Ｔの性別、および、被検体Ｔの年齢を有する。検査情報４３は、被検体Ｔの検査に関する情報として、検査ＩＤ、および、検査日時を有する。また、負荷試験後レポート５は、負荷試験後レポート５であることを示すレポート識別情報５４を含む。レポート識別情報５４は、負荷試験後レポート５であることを示す文字列により構成されている。負荷試験後レポート５では、レポート識別情報５４、検査情報５３、画像５２、および、分析結果情報５１は、上方向側から下方向側に向かって、この順に並んで配置されている。
【００５０】
（レポート生成処理）
次に、図６を参照して、本実施形態のＸ線撮影装置２によるレポート生成処理をフローチャートに基づいて説明する。フローチャートの各処理は、Ｘ線撮影装置２の制御部２６により行われる。
【００５１】
まず、ステップＳ１において、操作部２６ｂを介したユーザによるレポート生成指示が受け付けられる。
【００５２】
そして、ステップＳ２において、検体試料の分析結果ＲＡの分類が行われる。ステップＳ２では、たとえば検体試料の分析結果ＲＡ毎に割り当てられた負荷試験開始時点からの経過時間に基づいて、検体分析装置３から取得された検体試料の分析結果ＲＡが、負荷試験の前に採取された検体試料の分析結果ＲＡと負荷試験の後に採取された検体試料の分析結果ＲＡとに分類される。
【００５３】
そして、ステップＳ３において、ステップＳ２における検体試料の分析結果ＲＡの分類に基づいて、負荷試験前レポート４と負荷試験後レポート５とがそれぞれ別々のレポートとして生成される。この際、生成された負荷試験前レポート４と負荷試験後レポート５とが表示部２６ａに表示されてもよい。
【００５４】
そして、ステップＳ４において、生成された負荷試験前レポート４と負荷試験後レポート５とが記憶部２６ｃに保存（記憶）される。これにより、ユーザは、所望する場合に、保存された負荷試験前レポート４と負荷試験後レポート５とを確認可能である。その後、レポート生成処理が終了される。
【００５５】
（本実施形態の効果）
本実施形態では、以下のような効果を得ることができる。
【００５６】
本実施形態では、上記のように、制御部２６を、検体試料の分析結果の分類に基づいて、負荷試験の前に採取された検体試料の分析結果ＲＡを示す負荷試験前レポート４と、負荷試験の後に採取された検体試料の分析結果ＲＡを示す負荷試験後レポート５とを生成するように構成する。これにより、負荷試験の前後における検体試料の分析結果ＲＡをそれぞれ別々のレポート（負荷試験前レポート４および負荷試験後レポート５）として生成することができる。その結果、負荷試験の前後における検体試料の分析結果ＲＡが１つのレポートに混在することがない。これにより、ユーザ（医師など）は、負荷試験の前後における検体試料の分析結果ＲＡを明瞭に区別して把握することができる。その結果、負荷試験の前後における検体試料の分析結果ＲＡの相対的変化を観察しやすくすることが可能な診断画像システム１を提供することができる。また、負荷試験の前後における検体試料の分析結果ＲＡを制御部２６により自動で別々のレポートとして生成することができる。その結果、ユーザが負荷試験の前後における検体試料の分析結果ＲＡを別々のレポートとして生成するという煩雑な手間を省くことができる。
【００５７】
また、本実施形態では、上記のように、制御部２６を、検体試料の分析結果ＲＡがリスト状に並んで表示されるように、負荷試験前レポート４および負荷試験後レポート５を生成するように構成する。これにより、検体試料の分析結果ＲＡをリスト状に整理した状態で負荷試験前レポート４および負荷試験後レポート５を生成することができる。その結果、負荷試験前レポート４および負荷試験後レポート５における検体試料の分析結果ＲＡを確認しやすくすることができる。これにより、負荷試験の前後における検体試料の分析結果ＲＡの相対的変化をより観察しやすくすることができる。
【００５８】
また、本実施形態では、上記のように、制御部２６を、検体試料の分析結果ＲＡがリスト状でかつ採取順に並んで表示されるように、負荷試験前レポート４および負荷試験後レポート５を生成するように構成する。これにより、負荷試験前レポート４および負荷試験後レポート５における検体試料の分析結果ＲＡをリスト状でかつ採取順（検体試料を採取した順番）に並べることができる。これにより、負荷試験前レポート４および負荷試験後レポート５における検体試料の分析結果ＲＡと、実際の採取順との対応関係を直感的に把握することができる。その結果、負荷試験前レポート４および負荷試験後レポート５における検体試料の分析結果ＲＡをより確認しやすくすることができる。
【００５９】
また、本実施形態では、上記のように、負荷試験前レポート４を、負荷試験の前に採取された検体試料の分析結果ＲＡの全部を含むように構成する。そして、負荷試験後レポート５を、負荷試験の後に採取された検体試料の分析結果ＲＡの全部を含むように構成する。これにより、負荷試験前レポート４または負荷試験後レポート５において、被検体Ｔの臓器からの検体試料の採取の際に取得された検体試料の分析結果ＲＡの全部を漏れなく確認することができる。その結果、負荷試験の前後における検体試料の分析結果ＲＡの相対的変化を漏れなく観察することができる。
【００６０】
また、本実施形態では、上記のように、負荷試験前レポート４および負荷試験後レポート５を、検体試料が採取された臓器を示す画像４２を含むように構成する。これにより、負荷試験前レポート４または負荷試験後レポート５において、検体試料が採取された臓器と検体試料の分析結果ＲＡとを見比べて確認することができる。その結果、負荷試験前レポート４および負荷試験後レポート５における検体試料の分析結果ＲＡをより確認しやすくすることができる。
【００６１】
また、本実施形態では、上記のように、臓器を示す画像４２に、対応する検体試料の分析結果ＲＡが識別可能に、臓器における検体試料の採取位置を重畳する。これにより、負荷試験前レポート４または負荷試験後レポート５において、臓器における検体試料の採取位置と、この採取位置に対応する検体試料の分析結果ＲＡとを見比べて確認することができる。その結果、負荷試験前レポート４および負荷試験後レポート５における検体試料の分析結果ＲＡをより一層確認しやすくすることができる。
【００６２】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６３】
たとえば、上記実施形態では、本発明を、レポート生成装置としてのＸ線撮影装置に適用する例を示したが、本発明はこれに限られない。たとえば、本発明を、レポート生成装置としてのパーソナルコンピュータなどに適用してもよい。この場合、レポート生成装置としてのパーソナルコンピュータなどを、ネットワークを介して、Ｘ線撮影装置や検体分析装置から負荷試験前レポートと負荷試験後レポートとを生成するための情報を取得するように構成すればよい。
【００６４】
また、上記実施形態では、本発明の分類部および生成部を、１つの装置（Ｘ線撮影装置）が備える例を示したが、本発明はこれに限られない。本発明では、本発明の分類部および生成部を、別々の装置が備えていてもよい。たとえば、検体分析装置が分類部を備え、Ｘ線撮影装置が生成部を備えていてもよい。
【００６５】
また、上記実施形態では、検体試料の分析結果がリスト状でかつ採取順に並んで表示されるように、負荷試験前レポートおよび負荷試験後レポートを生成する例を示したが、本発明はこれに限られない。本発明では、必ずしも検体試料の分析結果がリスト状でかつ採取順に並んで表示されるように、負荷試験前レポートおよび負荷試験後レポートを生成しなくてもよい。たとえば、図７（Ａ）および（Ｂ）に示すように、上記実施形態の変形例によるＸ線撮影装置１０２の制御部１２６（図１、図２参照）は、負荷試験の前後において臓器における検体試料の採取位置が互いに対応する検体試料の分析結果ＲＡが識別可能に、検体試料の分析結果ＲＡがリスト状に並んで表示されるように、負荷試験前レポート１０４および負荷試験後レポート１０５を生成する。これにより、負荷試験の前後において臓器における検体試料の採取位置が互いに対応する負荷試験前レポート１０４における検体試料の分析結果ＲＡと負荷試験後レポート１０５における検体試料の分析結果ＲＡとを容易に把握することができる。つまり、相対的変化を観察する必要性が高い負荷試験の前後における検体試料の分析結果ＲＡ同士を容易に把握することができる。その結果、相対的変化を観察する必要性が高い負荷試験の前後における検体試料の分析結果ＲＡの相対的変化を観察しやすくすることができる。なお、Ｘ線撮影装置１０２は、特許請求の範囲の「レポート生成装置」の一例である。また、制御部１２６は、特許請求の範囲の「分類部」および「生成部」の一例である。
【００６６】
たとえば、制御部１２６は、負荷試験の前後において臓器における検体試料の採取位置が互いに対応する検体試料の分析結果ＲＡが識別可能に、採取位置（血管名）が互いに対応する検体試料の分析結果ＲＡがリストの同じ行に表示されるように、負荷試験前レポート１０４および負荷試験後レポート１０５を生成する。具体的には、制御部１２６は、負荷試験前レポート１０４のリストの１行目に血管名ＢＶ１１を有する検体試料の分析結果ＲＡが表示される場合、負荷試験後レポート１０５のリストの１行目に同じ血管名ＢＶ１１を有する検体試料の分析結果ＲＡが表示されるように、負荷試験前レポート１０４および負荷試験後レポート１０５を生成する。同様に、制御部１２６は、負荷試験前レポート１０４のリストの２行目に血管名ＢＶ１２を有する検体試料の分析結果ＲＡが表示される場合、負荷試験後レポート１０５のリストの２行目に同じ血管名ＢＶ１２を有する検体試料の分析結果ＲＡが表示されるように、負荷試験前レポート１０４および負荷試験後レポート１０５を生成する。なお、検体試料の採取位置が互いに対応する検体試料の分析結果が識別可能に負荷試験前レポートおよび負荷試験後レポートを生成する方法は、他の方法であってもよい。たとえば、採取位置（血管名）が互いに対応する検体試料の分析結果が識別可能に、採取位置（血管名）が互いに対応するリストの行が同じ色で表示されるように、負荷試験前レポートおよび負荷試験後レポートを生成してもよい。
【００６７】
また、上記実施形態では、負荷試験前レポートを、負荷試験の前に採取された検体試料の分析結果の全部を含むように構成する例を示したが、本発明はこれに限られない。本発明では、負荷試験前レポートを、負荷試験の前に採取された検体試料の分析結果の一部のみを含むように構成してもよい。
【００６８】
また、上記実施形態では、負荷試験後レポートを、負荷試験の後に採取された検体試料の分析結果の全部を含むように構成する例を示したが、本発明はこれに限られない。本発明では、負荷試験後レポートを、負荷試験の後に採取された検体試料の分析結果の一部のみを含むように構成してもよい。
【００６９】
また、上記実施形態では、臓器を示す画像を、被検体の臓器から検体試料を採取する際に取得されたＸ線画像により構成する例を示したが、本発明はこれに限られない。たとえば、臓器を示す画像を、検体試料が採取される臓器を示す模式図により構成してもよい。
【００７０】
また、上記実施形態では、説明の便宜上、制御部の処理動作を処理フローに沿って順番に処理を行うフロー駆動型のフローチャートを用いて説明したが、本発明はこれに限られない。本発明では、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００７１】
１  診断画像システム
２、１０２  Ｘ線撮影装置（レポート生成装置）
４、１０４  負荷試験前レポート
５、１０５  負荷試験後レポート
２６、１２６  制御部（分類部、生成部）
４２  臓器を示す画像
ＲＡ  分析結果
Ｔ  被検体
【図１】
2020128895.tif 000003
【図２】
2020128895.tif 000004
【図３】
2020128895.tif 000005
【図４】
2020128895.tif 000006
【図５】
2020128895.tif 000007
【図６】
2020128895.tif 000008
【図７】
2020128895.tif 000009